(57)【要約】    【課題】  本体内部の実装密度が高く、通風抵抗が大きい傾向にある誘導加熱調理器について、高密度実装状態でも高風量でかつ、低騒音かつ小型な送風構造を有した誘導加熱調理器を提供する。    【解決手段】  本体２の上面に被加熱容器を栽置するトッププレート１を配し、このトッププレート１の下方に誘導加熱コイル３，４を配し、誘導加熱コイル３，４を駆動する電子基板６，７，８を冷却するターボファン５とを本体２内部に配した誘導加熱調理器において、誘導加熱調理器の全高さＨと前記ターボファンの外径Ｄ２の比Ｄ２/Ｈが0.25〜0.91で構成する。    【選択図】  図１
2007080757.tif 000002
【特許請求の範囲】
【請求項１】
本体上面にトッププレートを備え、前記本体内には、前記トッププレートの下方に設けた複数個の加熱コイルと、前記複数個の加熱コイルの駆動を制御する基板と、前記加熱コイルと前記基板を冷却するターボファンと、ターボファンを覆うファンケーシングと、ターボファンを駆動するモータを設けた誘導加熱調理器において、
誘導加熱調理器の全高さＨと前記ターボファンの外径Ｄ２の比Ｄ２/Ｈが0.25〜0.91であることを特徴とする誘導加熱調理器。
【請求項２】
本体上面にトッププレートを備え、前記本体内には、前記トッププレートの下方に設けた複数個の加熱コイルと、前記複数個の加熱コイルの駆動を制御する基板と、前記加熱コイルと前記基板を冷却するターボファンと、ターボファンを覆うファンケーシングと、ターボファンを駆動するモータを設けた誘導加熱調理器において、
前記ターボファンの外径Ｄ２が100ｍｍ〜214mmの範囲である場合、ターボファンの運転回転数が1800〜4800[min-1] であることを特徴とする誘導加熱調理器。
【請求項３】
本体上面にトッププレートを備え、前記本体内には、前記トッププレートの下方に設けた複数個の加熱コイルと、前記複数個の加熱コイルの駆動を制御する基板と、前記加熱コイルと前記基板を冷却するファンと、ファンを駆動するモータを設けた誘導加熱調理器において、
前記ファンの回転数を使用する調理器具の材質により変化させることを特徴とした誘導加熱調理器。
【請求項４】
請求項３の誘導加熱調理器において、アルミ材の調理器具の加熱時に最大回転数、鉄材の調理器具加熱時に最低回転数となることを特徴とする誘導加熱調理器。
【発明の詳細な説明】
【技術分野】
【０００１】
本発明は誘導加熱調理器に関するものである。
【背景技術】
【０００２】
誘導加熱調理器は、誘導加熱コイルに高周波電流を流して発生する磁力線が、金属製の鍋を通過するときに鍋底に生じる渦電流によるジュール加熱を利用し、加熱調理を行う装置である。加熱時には鍋だけでなく、誘導加熱コイルや誘導加熱コイルを制御する電子基板などからも発熱が生じるため、ファンを用いて送風冷却が行われている。
【０００３】
従来の誘導加熱調理器の流路構造は、軸流ファンや多翼ファンを用いてトッププレートの吸気口から吸気した空気を電子基板に通風し、さらに誘導加熱コイルに通風するものである。こうした流路構造の例として文献１、２に開示された例がある。
【０００４】
【特許文献１】特開２００４−３９２６３号公報
【特許文献２】特開２００２−１１０３２９号公報
【発明の開示】
【発明が解決しようとする課題】
【０００５】
近年、誘導加熱調理器は調理時間の短縮などの要請から、加熱コイルはより高出力化される傾向にあり、ロースターは大型の調理品に対応できるように内容積が大型化される傾向にある。
【０００６】
使用する鍋の種類は、高効率で加熱できる鉄鍋だけでなく、加熱効率の下がる非磁性ステンレス鍋でも使用されるようになっている。また、多種の鍋に対応できるように鉄、非磁性ステンレス製の鍋に加えてアルミ製、銅製鍋でも使用できる機種が製品化されているが、アルミ鍋の加熱効率は非磁性ステンレス鍋よりもさらに低い。
【０００７】
加熱コイルを制御する電子基板は、加熱コイルの下部にありロースターの余剰空間に配置されているが、加熱コイルの高出力化、対応鍋の多様化に伴い加熱コイルの制御部品は増加し電子基板の実装密度が高く、通風抵抗が大きくなるとともに熱損失も増大する傾向にある。また、ロースターの内容積の大型化により、電子基板の配置空間は縮小してしまい、電子基板は更に実装密度が高くなる傾向にある。
【０００８】
前述したように、特許文献１に開示された誘導加熱調理機の例は、軸流ファンにより吸気口から吸入した冷却風を電子基板と誘導加熱コイルに通風するものである。誘導加熱調理器は本体内部の機器の実装密度が高いため、通風抵抗が大きく、図１１に示すように動作点が締切り点に近くなり、軸流ファンを用いた場合には騒音が大きくなるという課題があった。
【０００９】
また、特許文献２に開示された誘導加熱調理器における流路構造の例は、縦置き式の多翼ファンにより吸気口から吸入した冷却風を電子基板と誘導加熱コイルに通風するものである。多翼ファンは一般に、ファンの大きさに対して風量と圧力が大きくとれることから室内の換気用等に広く用いられる。
【００１０】
しかしながら図１２に示すように、羽根車の回転方向と羽根の出口方向とが一致する前向き羽根であることから、羽根車出口の絶対速度C2が非常に大きくなる特性がある。絶対速度C2は、ファン出口の圧力損失ΔP=ρ/2×C22となるため、通風抵抗が増大し、さらにはファンケーシング内部の流れに悪影響が及ぼしたり、局所的な騒音源となるといった課題があった。
【００１１】
本発明は、前記不具合を解決するものであり、特に電子基板部品の配置自由度を高めるとともに、加熱コイルの高出力化、ロースターの内容積の大型化による高密度実装状態でも高風量でかつ、低騒音かつ小型な送風構造を有した誘導加熱調理器を提供するものである。
【課題を解決するための手段】
【００１２】
上記課題を解決するため、本体上面にトッププレートを備え、前記本体内には、前記トッププレートの下方に設けた複数個の加熱コイルと、前記複数個の加熱コイルの駆動を制御する基板と、前記加熱コイルと前記基板を冷却するターボファンと、ターボファンを覆うファンケーシングと、ターボファンを駆動するモータを設けた誘導加熱調理器において、
第１の手段は、誘導加熱調理器の全高さＨと前記ターボファンの外径Ｄ２の比Ｄ２/Ｈが0.34〜0.91としたものである。
【００１３】
第２の手段は、前記ターボファンの外径Ｄ２が60ｍｍ〜214mmの範囲では、ターボファンの運転回転数を1800〜5900[min-1]としたものである。
【００１４】
第３の手段は、ファンの回転数を使用する調理器具の材質により変化させたものである。
【００１５】
第４の手段は、第３の誘導加熱調理器において、アルミ材の調理器具の加熱時に最大回転数、鉄材の調理器具加熱時に最低回転数としたものである。
【発明の効果】
【００１６】
本体上面にトッププレートを備え、前記本体内には、前記トッププレートの下方に設けた複数個の加熱コイルと、前記複数個の加熱コイルの駆動を制御する基板と、前記加熱コイルと前記基板を冷却するターボファンと、ターボファンを覆うファンケーシングと、ターボファンを駆動するモータを設けた誘導加熱調理器において、
請求項１〜２に記載の本発明は、誘導加熱調理器の全高さＨと前記ターボファンの外径Ｄ２の比Ｄ２/Ｈが0.34〜0.91としたこと、前記ターボファンの外径Ｄ２が60ｍｍ〜214mmの範囲では、ターボファンの運転回転数を1800〜5900[min-1]としたことである。
【００１７】
これにより、電子基板部品の配置自由度を高めるとともに、加熱コイルの高出力化、ロースターの内容積の大型化による高密度実装状態でも高風量でかつ、騒音の小さく小型の送風構造を有した誘導加熱調理器を実現できる。
【００１８】
請求項３、４記載の本発明は、本体上面にトッププレートを備え、前記本体内には、前記トッププレートの下方に設けた複数個の加熱コイルと、前記複数個の加熱コイルの駆動を制御する基板と、前記加熱コイルと前記基板を冷却するファンと、ファンを駆動するモータを設けた誘導加熱調理器において、
ファンの回転数を使用する調理器具の材質により変化させたもの、アルミ材の調理器具の加熱時に最大回転数、鉄材の調理器具加熱時に最低回転数としたことである。
【００１９】
これにより、加熱鍋の材料を認識後、電子基板、コイルなどの発熱部材を効率良く冷却するために必要な風量を変化させることができ、高密度実装状態でも高風量でかつ、低騒音かつ小型な送風構造を有した誘導加熱調理器を実現できる。
【発明を実施するための最良の形態】
【００２０】
以下、本発明の実施の形態について図１〜図３に従って説明する。
【００２１】
本実施例は、二つの誘導加熱部と、1つのヒータ加熱部と、1つのロースターとを備えた誘導加熱調理器を例にとって説明する。
【００２２】
先ず、本発明の一実施例の誘導加熱調理器の全体構造について説明する。図1は本発明の誘導加熱調理器において、右の誘導加熱部のほぼ中央で切断した側面断面図である。また図中の矢印は冷却風を表している。図２は本発明の誘導加熱調理器の外観傾斜図であり、本発明に係る誘導加熱調理器、及び従来の誘導加熱調理器に共通した代表構造を示した図である。図３は本発明の誘導加熱調理器において、トッププレート等を本体から取り外し、電子基板とファンの実装を示した分解傾斜図である。
【００２３】
トッププレート１は、本体２の上面に設けられ、ガラス製で鍋などの負荷を載置する。
【００２４】
トッププレート１の下部には、右の誘導加熱部に対応した誘導加熱コイル３、左の誘導加熱部に対応した誘導加熱コイル４があり、高周波電流が流れることにより磁力線を発生し、負荷である鍋を加熱する。
【００２５】
本体２内部の後背部には、ターボファンを用いたファン５が設けられ、電子基板６，７，８や、誘導加熱コイル３を冷却する。ファン５は、吸込口９、羽根車１０、吐出口１１，１２、ファンケーシング１３、ファンモータ１４とから構成される。ここでは、代表例として３枚の基板と、二口のファン吐出口を用いた場合を示している。
【００２６】
本体２の吸気口１５から吸気された冷却風は、ファン５の吸込口９に導かれ、ファンモータ１４により駆動される後ろ向きのもしくは羽根を持つ羽根車１０によって運動量を与えられ、羽根車１０内で９０度流れの方向を偏向した後、ファンケーシング１３内でさらに９０度流れの方向を偏向し、吐出口１２から電子基板６，７，８に供給し、吐出口１１から誘導加熱コイル３に供給される。ファン５と電子基板６，７，８側、また吸気口１５側とはファンケーシング１３により仕切られている。吸込口９と吐出口１１，１２の方向はファン５の軸方向と一致する方向に配置される。ファン５の吸込口９と吸気口１５の吸込流路を隔てたファンケーシング１３に吸込口９へ整流空気を導くためのマウスリング３１を設けている。
【００２７】
吸気口１５は、本体２後部側に設けられ、本体２内部の冷却風の入口である。電子基板６，７，８は複数の基板で構成され、誘導加熱コイル３の下方に配置され、右の誘導加熱コイル３と左の誘導加熱コイル４等を制御する。本体２内部を冷却した冷却風は排気口１６を抜けて外部に排出される。
【００２８】
本体２前面には操作部１７を設けており、機器全体の電源スイッチや、誘導加熱コイル３，４やラジエントヒータ２１の出力調整ツマミなどを配置している。本体２の上面手前には、液晶パネル１８を配置しており、誘導加熱部の出力を液晶で表示し、使用者に加熱出力の強さを伝達する。
【００２９】
ロースター１９は、本体２左下側に設けられ、ヒータ加熱式で、焼魚の調理などに用いられる。ロースター排気口２０は排気口１６に併設され、ロースター１９から発生する油煙などを排出する出口である。
【００３０】
ラジエントヒータ２１は、本体２内部の後方に設けられたヒータ加熱部であり、誘導加熱方式では加熱できない鍋、容器などでの調理時に用いられる。
【００３１】
通気口２２は、誘導加熱コイル３を支持する板に設けられた開口であり、誘導加熱コイル３の下方近傍に設けられる。また、通気口２３は、ファン５の吐出口１１から吹出した冷却風を直接誘導加熱コイル３に吹き付けるために設けた開口である。また、左側の誘導加熱コイル４の下方近傍に用いる通気口は、必要に応じて設けられるもので、ロースター１９の配置に合わせて誘導加熱コイル４の下方や周囲の近傍に設けられる。本実施例では、右側の誘導加熱コイル３のみ通気口を設けた構造で説明する。
【００３２】
以上の構成において、全体の動作を説明する。
【００３３】
鍋を右の誘導加熱部上、すなわち右の誘導加熱コイル３上方のトッププレート１上に栽置し、操作部１７の電源スイッチをオンし、右の誘導加熱部に対応した出力調整ツマミを好みの出力に調節する。
【００３４】
すると電子基板６，７，８は右の誘導加熱コイル３に高周波電流を流し、誘導加熱コイル３から磁力線を発生させ、鍋を過熱する。同時に、電子基板６，７，８はファン５を駆動する。
【００３５】
駆動されたファン５は、吸気口１５から外気を吸気し、冷却風を電子基板６，７，８に吹き付け、これを冷却する。電子基板６，７，８を冷却した冷却風は、上方に向かい、通気口２２及び通気口２３を通り、誘導加熱コイル３等が配置された空間に吹出され、主に右の誘導加熱コイル３に吹き付けられて、これを冷却し、その後、本体２の後部に設けられた排気口１６から外気に排気される。
【００３６】
次に、本発明に係るファン５の実施例の詳細について説明する。
【実施例１】
【００３７】
本発明の一実施例として、先に述べた図1と図４〜図６を用いて実施例１を説明する。
【００３８】
図４は本発明の誘導加熱調理器において、回転数を一定とし、誘導加熱調理器の全高さＨと前記ターボファンの外径Ｄ2のなす比Ｄ２/Ｈと、風量、騒音レベルを示した図である。図５は、誘導加熱調理器内部を冷却するために必要な風量とその風量を誘導加熱調理器に送り込むために必要な静圧を示すシステムカーブと、誘導加熱調理器内の発熱部材を効率良く冷却するための風量と前記ターボファンの外径Ｄ2の関係を示す。図６はターボファンから出た流れのベクトルを示している。図６のC2はファン出口速度、Cm2は、ファン出口速度の径方向成分、Cu2はファン出口速度の回転方向成分を示し、C3はファンからでてファンケーシングに衝突する速度、Cm3は、C3の径方向成分、Cu3はC3の回転方向成分を示している。
【００３９】
まず、誘導加熱調理器の全高さＨと同じ高さ方向をファンケーシング高さＨｆとする。図４は、誘導加熱調理器の全高さＨと前記ターボファンの外径D2のなす比Ｄ２/Ｈを横軸にとり、誘導加熱調理器内の発熱部材を冷却するために必要な風量とその時の騒音レベルを縦軸に示している。また、図４、５では、代表的に鉄鍋を加熱する際に誘導加熱調理器内発熱部材を冷却するために必要な風量を0.6m3/minとし、アルミ製の調理器具を加熱する際に誘導加熱調理器内発熱部材を冷却するために必要な風量を2.5m3/min として示してある。これは、鉄鍋を加熱する際に誘導加熱調理器内発熱部材の総熱損失が６００Ｗ、アルミ鍋を加熱する際に誘導加熱調理器内発熱部材の総熱損失が２２００Ｗであり、各々を冷やすために必要な風量である。
【００４０】
誘導加熱調理器の高さは、キッチンへの据付のため、約240mmと高さに制限がある。このため、電子基板を納める容積が小さく、高密度実装になる傾向があり、冷却風量を多くするためには、ターボファンの昇圧を大きくする必要がある。しかし、ターボファンの外径Ｄ2は、ファンケーシング高さＨｆよりも大きくすることはできないとともに、ファンケーシング高さＨｆは誘導加熱調理器の高さよりも小さくする必要がある。ターボファンで生じる昇圧を大きくするためには、ターボファンの外径Ｄ2を小さくし、回転数を大きくするという手法もある。しかし、ターボファンの外径Ｄ2を小さくし、回転数を増加させると騒音が大きくなるといった懸念がある。そこで、ターボファンの外径Ｄ2には、誘導加熱調理器の高さの関係から最適な外径の範囲が存在する。
【００４１】
まず、図４、５の誘導加熱調理器の全高さＨ（代表的に234ｍｍとした）と前記ターボファンの外径Ｄ2のなす比Ｄ２/Ｈを0.21の場合について説明する。ここでは、図５に示すようにターボファンの外径Ｄ2は５０ｍｍとなりシステムカーブとファン特性の交点であるＡ点で運転する。これでは、ファンの昇圧が足りず鉄鍋加熱時に必要な風量を得ることができない。
【００４２】
続いて、Ｄ２/Ｈが0.34、すなわちターボファンの外径Ｄ2が８０ｍｍの状態では、システムカーブとファン特性の交点であるＢ点で運転する。このＢ点ではじめて鉄鍋加熱時に必要な風量0.6m3/minを得ることができる。しかし、Ｄ２/Ｈが0.34〜0.5の範囲では、システムカーブとファン特性の交点であるＢ点とＣ点の間で運転するため、鉄鍋加熱時に必要な風量0.6m3/min以上を得ることができるが、アルミ鍋加熱時に必要な風量2.5m3/minを得ることができない。
【００４３】
次に、Ｄ２/Ｈが0.5〜0.91の間ではシステムカーブとファン特性の交点であるＣ点とＤ点の間で運転するためアルミ鍋加熱時に必要な風量2.5m3/min以上を得ることができる。一方、Ｄ２/Ｈが0.91以上では、システムカーブとファン特性の交点であるＥ点で運転するため、またアルミ鍋加熱時に必要な風量2.5m3/minを得ることができなくなる。
【００４４】
これは、ターボファンの外径Ｄ2とファンケーシングの高さもしくは誘導加熱調理器の高さとの透間がなくなるためである。図６に示すファン出口のベクトル図を用いて説明する。これは、ターボファンの外径Ｄ2とファンケーシングの高さもしくは誘導加熱調理器の高さとの透間が小さくなり、ファンから吹出るファン出口速度C2がファンからでてファンケーシングに衝突する間に十分減速ができなくなる。
【００４５】
したがって、ファンケーシングに衝突する際の圧力損失が大きくなり、必要な昇圧ができず風量が低下する。さらには、ファンケーシングに衝突する速度C3が大きいため衝突する際の流体音が大きくなり、誘導加熱調理器の騒音増加につながり運転では望ましくない。
【実施例２】
【００４６】
本発明の一実施例として、先に述べた図６と図７を用いて実施例１を説明する。
【００４７】
図７はターボファンの外径Ｄ2と回転数を変化させた場合、騒音レベル５５ｄB（A）を越えないようにしたターボファンの外径Ｄ2と回転数との組合せのファン特性を示す。騒音レベル５５ｄB（A）とは、生活活動の与える影響が大きいと感じる騒音の大きさに相当する。
【００４８】
図７では、代表的に鉄鍋を加熱する際に誘導加熱調理器内発熱部材を冷却するために必要な風量を0.6m3/minとし、アルミ製の調理器具を加熱する際に誘導加熱調理器内発熱部材を冷却するために必要な風量を2.5m3/min として示してある。これは、鉄鍋を加熱する際に誘導加熱調理器内発熱部材の総熱損失が６００Ｗ、アルミ鍋を加熱する際に誘導加熱調理器内発熱部材の総熱損失が２２００Ｗであり、各々を冷やすために必要な風量である。
【００４９】
誘導加熱調理器の高さは、キッチンへの据付のため、約240mmと高さに制限がある。このため、電子基板を納める容積が小さく、高密度実装になる傾向があり、冷却風量を多くするためには、ターボファンの昇圧を大きくする必要がある。
【００５０】
しかし、ターボファンの外径Ｄ2は、ファンケーシング高さＨｆよりも大きくすることはできないとともに、ファンケーシング高さＨｆは誘導加熱調理器の高さよりも小さくする必要がある。また、ターボファンの外径Ｄ2とファンケーシングの高さもしくは誘導加熱調理器の高さとの透間がなくなると、ファンから吹出るファン出口速度C2がファンからでてファンケーシングに衝突する間に十分減速ができず、ファンケーシングに衝突する際の圧力損失が大きくなり、必要な昇圧ができなくなり、風量が低下する。さらには、ファンケーシングに衝突する速度C3が大きいため衝突する際の流体音が大きくなり、誘導加熱調理器の騒音増加につながる。
【００５１】
また、ターボファンで生じる昇圧を大きくするためには、ターボファンの外径Ｄ2を小さくし、回転数を大きくするという手法もある。しかし、回転数を増加させると騒音レベル５５ｄB（A）を越えてしまう。そこで、ターボファンの外径Ｄ2と回転数には、誘導加熱調理器の高さの関係と騒音から最適なターボファン外径と回転数の範囲が存在する。それは、図７より明らかになる。
【００５２】
まず、鉄鍋加熱時に必要な風量0.6m3/minを得るためには、システムカーブとファン特性の交点であるF点で運転する必要がある。ここで、図４で説明した誘導加熱調理器の全高さＨとターボファンの外径Ｄ2のなす比Ｄ２/Ｈは0.91を越えると風量が低下することからターボファンの外径Ｄ2は214ｍｍが上限となる。
【００５３】
この場合、回転数は800 min-1にて鉄鍋加熱時に必要な風量0.6m3/min以上を得ることができる。一方、騒音レベル５５ｄB（A）を越えない範囲でターボファンの外径Ｄ2を小さくし、回転数を大きくした場合、ターボファンの外径Ｄ2が60ｍｍ、回転数は5900 min-1で鉄鍋加熱時に必要な風量0.6m3/min以上を得ることができる。
【００５４】
次に、アルミ鍋加熱時に必要な風量2.5m3/min以上を得るためのターボファン外径と回転数について説明する。アルミ鍋加熱時に必要な風量2.5m3/minをえるためにはシステムカーブとファン特性の交点であるG点で運転する必要がある。ターボファンの外径Ｄ2を214ｍｍの上限にした場合、回転数は1800 min-1にてアルミ鍋加熱時に必要な風量2.5m3/min以上を得ることができる。
【００５５】
しかし一方、騒音レベル５５ｄB（A）を越えない範囲でターボファンの外径Ｄ2を小さくし、回転数を大きくした場合、ターボファンの外径Ｄ2が100ｍｍ、回転数は4800 min-1で鉄鍋加熱時に必要な風量2.5m3/min以上を得ることができる。
【００５６】
これにより、ターボファンを用いて、調理器具を加熱する際に、調理器具の材質が鉄、アルミ製のときともに効率良く冷却できるターボファンの外径Ｄ2が100〜214ｍｍの時に回転数1800〜4800 min-1となる。
【実施例３】
【００５７】
本発明の一実施例として、図８〜図１０を用いて実施例３を説明する。
【００５８】
図８は本発明の本体上面にトッププレートを備え、前記本体内には、前記トッププレートの下方に設けた複数個の加熱コイルと、前記複数個の加熱コイルの駆動を制御する基板と、前記加熱コイルと前記基板を冷却するファンと、ファンを駆動するモータを設けた誘導加熱調理器において、鍋材質における誘導加熱調理器内の発熱部材、例えば電子基板、コイルなどの熱損失と、発熱部材を効率良く冷やすために必要な風量を示す。また、図９は、鍋材質における発熱部材を効率良く冷やすために必要な風量とその風量を生むための回転数を示している。なお、図８では、代表的に鉄鍋を加熱する際に誘導加熱調理器内の発熱部材を冷却するための風量を0.6m3/minとし、アルミ製の調理器具を加熱した場合に誘導加熱調理器内の発熱部材を冷却するための風量を2.5m3/min として示してある。これは、鉄鍋を加熱する際に誘導加熱調理器内の発熱部材の総熱損失が６００Ｗ、アルミ鍋を加熱する際に誘導加熱調理器内の発熱部材の総熱損失が２２００Ｗであり、各々を冷やすために必要な風量である。
【００５９】
図８に示すようにアルミ材質でできた調理器具は鉄製の調理器具に比べ、加熱効率が低いため、熱損失が非常に大きくなる。そのため、誘導加熱調理器内の発熱部材である電気基板、コイルを冷やすための風量が大きく異なる。したがって、調理器具の材質によって誘導加熱調理器を冷却するために必要最低限の風量を生むべく回転数を変化させることができる。これにより、誘導加熱調理器を使用する環境において、低騒音空間、ファンの使用電力量並びに誘導加熱調理器の省電力化を実現することができる。また、アルミ製の調理器具を加熱する場合に誘導加熱調理器内の発熱部材を冷却するための風量が最大風量、鉄製の調理器具を加熱する場合に誘導加熱調理器内の発熱部材を冷却するための風量が最小風量であるため、アルミ製の調理器具を加熱する場合に最大回転数、鉄製の調理器具を加熱する場合に最小回転数に設定することができ、誘導加熱調理器を使用する環境において、低騒音空間、ファンの使用電力量並びに誘導加熱調理器の省電力化を実現することができる。
【００６０】
また、図１０は、代表的に冷却ファンにターボファンを用いた場合を記載する。図１０は、ターボファン外径D2を１２０mｍとした場合に、誘導加熱調理器内部を冷却するために必要な風量とその風量を誘導加熱調理器に送り込むために必要な静圧を示すシステムカーブ、誘導加熱調理器内部に冷却するために必要な風量を吸い込むファンの特性を示す。図１０より、鉄製を加熱する際の必要風量0.6m3/minを生むために必要な回転数１２００min-1、アルミ製を加熱する際の必要風量2.5m3/minを生むために必要な回転数４５００min-1が算出できる。また、図１０のファン騒音特性から４５００min-1時は、騒音レベル５５ｄB（A）よりしたを満足することが可能である。騒音レベル５５ｄB（A）とは、生活活動の与える影響が大きいと感じる騒音の大きさに相当する。したがって、使用する調理器具の材質が変わっても、ターボファンの外径D2を１２０ｍｍとした場合、回転数１２００〜４５００min-1の範囲で、誘導加熱調理器内を冷却と、低騒音環境の実現が可能となる。
【図面の簡単な説明】
【００６１】
【図１】右の誘導加熱部のほぼ中央で切断した側面。
【図２】断面本発明の一実施例の誘導加熱調理器を示した外観傾斜図。
【図３】トッププレート等を本体から取り外し、電子基板とファンの実装を示した分解傾斜図。
【図４】本発明の第一の実施例の誘導加熱調理器において、誘導加熱調理器の全高さＨと前記ターボファンの外径Ｄ2のなす比Ｄ２/Ｈと風量、騒音レベルを示した図。
【図５】本発明の第一の実施例の誘導加熱調理器において、誘導加熱調理器内の発熱部材を効率良く冷却するための風量と前記ターボファンの外径Ｄ2の関係図。
【図６】本発明の第一の実施例の誘導加熱調理器において、ターボファンから出た流れのベクトル図。
【図７】本発明の第二の実施例の誘導加熱調理器において、ターボファンの外径Ｄ2と回転数との組合せのファン特性図。
【図８】本発明の第三と第４の実施例の誘導加熱調理器において、鍋材質における誘導加熱調理器内の発熱部材の熱損失と、効率良く冷やすために必要な風量の関係図。
【図９】本発明の第三と第４の実施例の誘導加熱調理器において、鍋材質における誘導加熱調理器内を効率良く冷やすために必要な風量とファン回転数の関係図。
【図１０】本発明の第三と第４の実施例の誘導加熱調理器において、鍋材質における誘導加熱調理器内を効率良く冷やすために必要な風量とターボファン回転数の関係図。
【図１１】軸流ファンの一般的な特性を示した図。
【図１２】多翼ファンとターボファンを比較した模式図。
【符号の説明】
【００６２】
１・・・トッププレート
２・・・本体
３、４・・・誘導加熱コイル
５・・・ファン
６，７，８、・・・電子基板
９・・・吸込口
１０・・・羽根車
１１，１２・・・吐出口
１３・・・ファンケーシング
１４・・・ファンモータ
１５・・・吸気口
１６・・・排気口
１７・・・操作部
１８・・・液晶パネル
１９・・・ロースター
２０・・・ロースター排気口
２１・・・ラジエントヒータ
２２，２３・・・通気口
２４・・・上方流路壁面
２５・・・水切り板
２６・・・下方流路壁面
２７・・・傾斜部
２８・・・遮蔽部材
２９・・・排水口
３０・・・後背部流路壁面
３１・・・マウスリング
【図１】
2007080757.tif 000003
【図２】
2007080757.tif 000004
【図３】
2007080757.tif 000005
【図４】
2007080757.tif 000006
【図５】
2007080757.tif 000007
【図６】
2007080757.tif 000008
【図７】
2007080757.tif 000009
【図８】
2007080757.tif 000010
【図９】
2007080757.tif 000011
【図１０】
2007080757.tif 000012
【図１１】
2007080757.tif 000013
【図１２】
2007080757.tif 000014